(57)【要約】【課題】ノック体を押圧することにより固定カムおよび回転カムを摺動し、回転カムの回転に伴い軸筒内に収容した筆記体の筆記先端部を軸筒の先端開口部より出没する繰出機構を有したノック式筆記具において、非筆記状態において軸筒の先端開口部側を下に向けて落下しても、筆記体の筆記先端部が軸筒の先端開口部より突出しないようにする。【解決手段】回転カム８に、軸心方向に傾斜面１０ａで構成された凹凸状の第２噛合部１０を設ける。回転カム８の前方の軸筒２の内壁面２ａに、軸心方向に傾斜面１４ａで構成された凹凸状の第３噛合部１４を設ける。前記第２噛合部１０に噛合う第２被噛合部１５と前記第３噛合部１４に噛合う第３被噛合部１６を有し、前方に向かって突出した突設体１７を設けた回転子１８を、筆記体１９の軸体１９ａに装着する。軸筒２内に、前記突設体１７に当接可能な突設受体２３を設ける。【選択図】図１
2012106356.tif 000002
【特許請求の範囲】
【請求項１】
軸筒内に、カム溝に沿って摺動可能な固定カムと回転カムを、固定カムに形成した軸心方向に傾斜面で構成された凹凸状の噛合部に、回転カムに形成した前記噛合部に噛合う被噛合部を噛合わせて配設し、ノック体を押圧することにより固定カムおよび回転カムを摺動し、回転カムの回転に伴い軸筒内に収容した筆記体の筆記先端部を軸筒の先端開口部から出没させるノック式筆記具であって、前記回転カムの被噛合部より軸筒の先端開口部側の前方の部分に、軸心方向に傾斜面で構成された凹凸状の第２噛合部を形成するとともに、軸筒内に軸心方向に傾斜面で構成された凹凸状の第３噛合部を設け、回転カムの第２噛合部に噛合う第２被噛合部と、軸筒内に設けた第３噛合部に噛合う第３被噛合部と、前方に向かって突出した突設体を設けた回転子を、前記筆記体の軸体に装着し、軸筒内に、回転子の突設体が当接可能な突設受体を配し、回転子を、非筆記時において第２被噛合部が回転カムの第２噛合部に周方向においてずれた状態で当接し、第３被噛合部が第３噛合部に噛合った状態で当接し、突設体が突設受体に対向した位置で離間するように軸筒内に配し、ノック体の押圧に対しては、回転子が前進して回転子の第３被噛合部と前記第３噛合部が離間して回転子が回転して、突設体と突設受体の周方向の位置がずれて前進可能としたことを特徴とするノック式筆記具。
【発明の詳細な説明】
【技術分野】
【０００１】
本発明は、カム溝と、回転カムと、固定カムとノック体からなる、軸筒内に収容した筆記体の筆記先端部を軸筒の先端開口部より出没する繰出機構を有したノック式筆記具に関する。
【背景技術】
【０００２】
従来、軸筒内に、カム溝に沿って摺動可能な固定カムと回転カムを、固定カムに形成した軸心方向に傾斜面で構成された凹凸状の噛合部に、回転カムに形成した前記噛合部に噛合う被噛合部を噛合わせて配設し、ノック体を押圧することにより固定カムおよび回転カムを摺動し、回転カムの回転に伴い軸筒内に収容した筆記体の筆記先端部を軸筒の先端開口部より出没するノック式筆記具が知られている。
【０００３】
従来のこうした構造のノック式筆記具では、筆記体を軸筒内に前後動可能に遊嵌してあるので、非筆記状態における筆記体の筆記先端が軸筒の先端開口部に没入した状態で、軸筒の先端開口部側を下に向けて落下した際の落下衝撃時の慣性力により筆記体の筆記先端が軸筒の先端開口部から突出し、筆記先端を破損や損傷させてしまうという問題があった。
【０００４】
前記問題を解消するために、容易に筆記体の筆記先端部が軸筒の先端開口部から突出しないように、筆記体を後方（ノック体側）へ付勢するばねの弾発力を強くすることが考えられるが、前記弾発力を強くすると、筆記体の筆記先端部を軸筒の先端開口部から出没するための繰出操作であるノック操作が重くなり、筆記具としての使用感を損ねてしまう。
【先行技術文献】
【特許文献】
【０００５】
【特許文献１】特開２００３−３０５９９０号公報
【発明の概要】
【発明が解決しようとする課題】
【０００６】
軸筒内に、カム溝に沿って摺動可能な固定カムと回転カムを、固定カムに形成した軸心方向に傾斜面で構成された凹凸状の噛合部に、回転カムに形成した前記噛合部に噛合う被噛合部を噛合わせて配設し、ノック体を押圧することにより固定カムおよび回転カムを摺動し、回転カムの回転に伴い軸筒内に収容した筆記体の筆記先端部を軸筒の先端開口部から出没するノック式筆記具において、非筆記状態における筆記体の筆記先端が軸筒の先端開口部に没入した状態で、軸筒の先端開口部側を下に向けて落下しても、筆記体の筆記先端部が軸筒の先端開口部より突出しないような構造とし、筆記先端が破損や損傷しないノック式筆記具を得ることにある。
【課題を解決するための手段】
【０００７】
本発明は、
「  軸筒内に、カム溝に沿って摺動可能な固定カムと回転カムを、固定カムに形成した軸心方向に傾斜面で構成された凹凸状の噛合部に、回転カムに形成した前記噛合部に噛合う被噛合部を噛合わせて配設し、ノック体を押圧することにより固定カムおよび回転カムを摺動し、回転カムの回転に伴い軸筒内に収容した筆記体の筆記先端部を軸筒の先端開口部から出没させるノック式筆記具であって、前記回転カムの被噛合部より軸筒の先端開口部側の前方の部分に、軸心方向に傾斜面で構成された凹凸状の第２噛合部を形成するとともに、軸筒内に軸心方向に傾斜面で構成された凹凸状の第３噛合部を設け、回転カムの第２噛合部に噛合う第２被噛合部と、軸筒内に設けた第３噛合部に噛合う第３被噛合部と、前方に向かって突出した突設体を設けた回転子を、前記筆記体の軸体に装着し、軸筒内に、回転子の突設体が当接可能な突設受体を配し、回転子を、非筆記時において第２被噛合部が回転カムの第２噛合部に周方向においてずれた状態で当接し、第３被噛合部が第３噛合部に噛合った状態で当接し、突設体が突設受体に対向した位置で離間するように軸筒内に配し、ノック体の押圧に対しては、回転子が前進して回転子の第３被噛合部と前記第３噛合部が離間して回転子が回転して、突設体と突設受体の周方向の位置がずれて前進可能としたことを特徴とするノック式筆記具。」
である。
【０００８】
本発明においてノック体と固定カムは、固定カムの後端部を軸筒の後端より突出して固定カムをノック体として兼用しても良いし、別々に設けても良い。また、カム溝は軸筒の内壁面に形成して設けても良いし、軸筒内に挿入される部材の内壁面に形成して設けても良い。また、軸筒内に設ける第３噛合部も、軸筒の内壁面に形成して設けても良いし、軸筒内に装着した部材の内壁面に形成して設けても良い。
【０００９】
前記突設受体は軸筒内に設けるが、軸筒の内壁面に直に設けても良いし、突設受体を設けた部材を軸筒内に装着して設けても良い。または、軸筒の先端に着脱自在に設けた先窄み状の口先部の後端に、後方（ノック体側）に向けて突設受体を突出して設けても良い。突設受体は、突出して設けるとは限らず、円筒状に形成された部材の後端に、軸心方向に延びた凹溝を形成することで突設受体を成して設けても良い。
【００１０】
本発明でいう筆記体とは、ボールペンチップを装着し軸体内に水性、油性またはゲル状のボールペン用インキを収容したボールペンレフィル、ペン先が繊維束からなり軸体内にマーカー用インキを収容したマーカー用のレフィル、チャックや芯タンク等で構成されたシャープペンシルユニットやノック式万年筆において軸筒内に前後動可能に収容されたペン先を装着した筆記本体等のことである。
【発明の効果】
【００１１】
本発明のノック式筆記具は前述したような構造なので、非筆記時の筆記体の筆記先端が軸筒の先端開口部に没入した状態で落下しても、筆記体の筆記先端が軸筒の先端開口部より突出する前に、筆記体の軸体に装着した回転子の突設体が軸筒内に設けた突設受体に当接するので、筆記体が必要以上に前進せず、筆記先端が軸筒の先端開口部より突出することがないので、筆記先端を破損や損傷させてしまうことがない。
【００１２】
通常のノック操作時においては、前記したような構造なので、ノック体を押圧して筆記体を前進させると、回転子に設けた第３被噛合部と軸筒内に設けた第３噛合部とが離脱して回転子が回転するので、回転子の突設体が軸筒内に設けた突設受体に当接することがなく、従来のノック操作時と同様に、筆記体が前進して筆記先端が軸筒の先端開口部より突出するが、非筆記時に、筆記体の筆記先端を軸筒の先端開口部側を下に向けて落下した際には、落下衝撃時の慣性力による筆記体、回転子、回転カムや固定カムの前進は、そのままの状態で前進するので回転子と回転子カムとの間での回転方向への作用が働かず、回転子が回転することがなく、筆記体の筆記先端が軸筒の先端開口部より突出する前に突設体が突設受体に当接して、筆記先端が軸筒の先端開口部より突出することがない。
【図面の簡単な説明】
【００１３】
【図１】本発明のノック式筆記具の実施例を示す、要部を断面したノック式筆記具の縦断面図である。
【図２】図１における、固定カムと回転カムの拡大縦断面図である。
【図３】図１における回転子を示す拡大図で、（ａ）は側面図であり、（ｂ）は縦断面図である。
【図４】図１における、軸筒の拡大縦断面図である。
【図５】図１における、軸筒の先端に装着した口先部材を示す拡大図で、（ａ）は側面図であり、（ｂ）は縦断面図である。
【図６】図１における、回転子と軸筒および回転カムの被噛合部と噛合部との噛合状態を示した概略図である。
【図７】本実施例のノック式筆記具のノック体を押圧して、筆記体の筆記先端が軸筒の先端開口部から突出する直前の状態を示した、要部を断面したノック式筆記具の縦断面図である。
【図８】図７における、回転子と軸筒および回転カムとの被噛合部と噛合部との噛合状態を示した概略図である。
【図９】本実施例のノック式筆記具のノック体を押圧して、筆記体の筆記先端が軸筒の先端開口部より突出した状態を示した、要部を断面したノック式筆記具の縦断面図である。
【図１０】図９における、回転子と軸筒および回転カムとの被噛合部と噛合部との噛合状態を示した概略図である。
【図１１】本実施例のノック式筆記具のノック体を押圧して、筆記体の筆記先端が軸筒の先端開口部より突出して維持した状態を示した、要部を断面したノック式筆記具の縦断面図である。
【図１２】図１１における、回転子と軸筒および回転カムとの被噛合部と噛合部との噛合状態を示した概略図である。
【図１３】非筆記時の筆記体の筆記先端が軸筒の先端開口部に没入時に落下した時の状態を示した、要部を断面したノック式筆記具の縦断面図である。
【発明を実施するための形態】
【００１４】
本発明におけるノック式筆記具は、軸筒内に、カム溝に沿って摺動可能な固定カムと回転カムを、固定カムに形成した軸心方向に傾斜面で構成された凹凸状の噛合部に、回転カムに形成した前記噛合部に噛合う被噛合部を噛合わせて配設し、ノック体を押圧することにより固定カムおよび回転カムを摺動し、回転カムの回転に伴い軸筒内に収容した筆記体の筆記先端部を軸筒の先端開口部より出没する繰出機構を有したノック式筆記具において、回転カムと軸筒内に、軸心方向に傾斜面で構成された凹凸状の噛合部を設け、前記噛合部に噛合う被噛合部を有し、回転カムに対して回転可能に回転カムに連接した回転子を軸筒内に収容した筆記体に装着し、非筆記状態における筆記体の筆記先端が軸筒の先端開口部に没入した状態で、軸筒の先端開口部側を下に向けて落下した際に筆記体の筆記先端部が軸筒の先端開口部より突出しないように、前記回転子の前進を妨げる手段を設ける。
【実施例】
【００１５】
本発明のノック式筆記具の実施例を、図面を用いて説明する。図に示すように、本実施例のノック式筆記具１は、従来のノック式筆記具と同様に、軸筒２の内壁面には、軸心方向に沿って延びた軸径方向の深さが深いカム溝３ａと浅いカム溝３ｂとを互に周状に配列してなるカム溝３を設けてある（図４を参照）。
【００１６】
固定カム４は、先端に軸心方向に山型状に突出した噛合部５を、外周面にカム溝３に係合する複数のカム突起６を周状に有しており（図２を参照）、前記カム突起６をカム溝３に係合し、後端部を軸筒２の後端より外方に突出するように軸筒２内に配し、ノック体７としての機能を持たしてある。前記カム突起６は、噛合部５の頂部５ａの線上に位置するように形成してある。
【００１７】
回転カム８は、前記噛合部５に噛合う傾斜面９ａを有した被噛合部９と、深いカム溝３ａのみに係合可能に軸径方向に突出した複数のカム突起１１と、軸心方向に凹凸状に形成した傾斜面１０ａ有する第２噛合部１０を設けた本体部８ａと、固定カム４内に挿入可能な小径な後方突出部８ｂとからなり、この回転カム８を固定カム４の前方に、カム突起１１を深いカム溝３ａに係合し、図示していないが、従来のノック式筆記具における構造と同様に、被噛合部９の傾斜面９ａの途中で固定カム４の噛合部５の頂部５ａが当接するように配してある。
【００１８】
また従来のノック式筆記具における構造と同様に、カム溝３を構成する軸心に沿った方向に延びた突片１２は、先端を傾斜壁面１２ａに形成してあり、浅いカム溝３ｂの深さは、回転カム８のカム突起１１が底面に当接して係合しないような浅さにしてあり、浅いカム溝３ｂの先端にカム突起１１が係止可能な係止部１３としてある。
【００１９】
回転カム８の前方の軸筒２の内壁面２ａには、図４に示すように、軸心方向に傾斜面１４ａで構成された凹凸状の第３噛合部１４を設けてある。
【００２０】
図３に示すように、前記回転カム８の第２噛合部１０に噛合う軸心方向に傾斜面１５ａで構成された凹凸状の第２被噛合部１５を有した第１円筒部１８ａと、前記第３噛合部１４に噛合う軸心方向に傾斜面１６ａで構成された凹凸状の第３被噛合部１６を有した第１円筒部１８ａより大径な第２円頭部１８ｂと、該第２円筒部１８ｂの前端に前方（図３において左側）に向かって突出した棒状の突設体１７を設けた回転子１８を、第１円筒部１８ａの内壁面に形成した内方に突出した突出部２７により、軸筒２内に収容する筆記体１９の軸体１９ａに圧入固定して装着し、この筆記体１９を軸筒２内に収容し、回転子１８の第２被噛合部１５と回転カム８の第２噛合部１０とが周方向においてずれた状態で当接し（図６を参照）、第３被噛合部１６を軸筒２の内壁面２ａに形成した第３噛合部１４に噛合わせて配設する。
【００２１】
軸筒２の先端には先窄み状の口先部２０が、軸筒２内に挿入する後端部２０ａに形成した雄ねじ部２１を軸筒２に形成した雌ねじ部２２に着脱自在に螺着して設けてあるが、前記後端部２０ａには、図５に示すように、後方（図５において右方向）に突出した前記突設体１７の先端に当接可能な棒状の突設受体２３を設けてある。また、後端部２０ａの後端面と前記回転子１８の第１円筒部１８ａの前端面との間にコイルばね２４を張架して、回転子１８、筆記体１９、回転カム８および固定カム（ノック体７）を後方に付勢してある。
【００２２】
次に、動作について説明する。
本実施例のノック式筆記具１は、ノック体７（固定カム４）を押圧することにより、図示していないが固定カム４は深いカム溝３ａと浅いカム溝３ｂに係合したカム突起６に導かれて、固定カム７に連接した回転カム９は深いカム溝３ａに係合したカム突起１１に導かれて前進する。回転子１８の第３被噛合部１６が軸筒２に設けた第３噛合部１４から離脱すると、図６に示すように回転子１８の第２被噛合部１５と回転カム８の第２噛合部１０は周方向においてずれた状態で当接しているので、第２被噛合部１５の傾斜面１５ａが第２噛合部１０の傾斜面１０ａを滑り、図７および図８に示すように回転子１８は軸筒２に対して回転し、該回転子１８の突設体１７と口先部２０に設けた突設受体２３は対向せず、筆記体１９はさらに前進が可能となる。
【００２３】
さらにノック体７（固定カム４）を押圧して、図９に示すように筆記体１９の筆記先端２５が軸筒２（口先部２０）の先端開口部２６より突出させると、回転カム８は前進してカム突起１１がカム溝３から離脱し、前記したように、回転カム８の被噛合部９と固定カム４の噛合部５の頂部５ａとは、頂部５ａが回転カム８の被噛合部９の傾斜面９ａの約中間点の位置で当接しているので、回転カム８は軸筒２に対して回転する。回転子１８も、図８に示すように第２被噛合部１５が回転カム８の第２噛合部１０に噛合っているので連動して回転する。
【００２４】
次に、ノック体７（固定カム４）への押圧力を弱めると、従来のノック式筆記具と同様に、コイルばね２４により筆記体１９および回転子１８を介して回転カム８が後方に付勢されているので、カム突起１１の後端が、カム溝３を形成する突片１２の傾斜壁面１２ａに当接して滑り、カム突起１１の傾斜面１１ａを係止部１３に係止し、筆記体１９の筆記先端部２５が軸筒２の先端開口部２６より突出した状態を保持する。従来と同様に、再度、ノック体７（固定カム４）を押圧することで、筆記体１９の筆記先端部２５は軸筒２の先端開口部２６に没入する。その際、回転子１８は、図１２に示すように第２被噛合部１５が回転カム８の第２噛合部１０に噛合っているので連動して回転して後退し、第３被噛合部１６が軸筒２に設けた第３噛合部１４に当接して周方向に滑り、回転子１８の突設体１７と口先部２０に設けた突設受体２３が対向する。
【００２５】
図１に示すような非筆記状態である筆記体１９の筆記先端２５が軸筒２（口先部２０）の先端開口部２６に没入した状態で、口先部２０の先端開口部側を下に向けて床等に落下した際は、落下衝撃により筆記体１９、回転子１８，回転カム８および固定カム４は慣性力により前進するが、筆記体１９、回転子１８，回転カム８および固定カム４はそのままの状態で前進するので、前記したような回転子１８の第３被噛合部１６が軸筒２に設けた第３噛合部１４から離脱しても、第２被噛合部１５の傾斜面１５ａが第２噛合部１０を傾斜面１０ａを滑ることがないので、回転子１８は回転することがなく、回転子１８の突設体１７が口先部２０の突設受体２３に当接し、筆記体１９の筆記先端部２５が軸筒２の先端開口部２６より突出することがなく、筆記先端部２５を損傷することがない。
【産業上の利用可能性】
【００２６】
本発明は、軸筒内に、カム溝に沿って摺動可能な固定カムと回転カムを、固定カムに形成した軸心方向に傾斜面で構成された凹凸状の噛合部に、回転カムに形成した前記噛合部に噛合う被噛合部を噛合わせて配設し、ノック体を押圧することにより固定カムおよび回転カムを摺動し、回転カムの回転に伴い軸筒内に収容した筆記体の筆記先端部を軸筒の先端開口部より出没する繰出機構を有したノック式筆記具において、落下による筆記体の筆記先端部の損傷を防ぎたい場合に適用する。
【符号の説明】
【００２７】
１  ノック式筆記具
２  軸体
３  カム溝
４  固定カム
５  噛合部
７  ノック体
８  回転カム
９  被噛合部
１０  第２噛合部
１４  第３噛合部
１５  第２被噛合部
１６  第３被噛合部
１７  突設体
１８  回転子
１９  筆記体
１９ａ  軸体
２３  突設受体
２５  筆記先端
２６  先端開口部
【図１】
2012106356.tif 000003
【図２】
2012106356.tif 000004
【図３】
2012106356.tif 000005
【図４】
2012106356.tif 000006
【図５】
2012106356.tif 000007
【図６】
2012106356.tif 000008
【図７】
2012106356.tif 000009
【図８】
2012106356.tif 000010
【図９】
2012106356.tif 000011
【図１０】
2012106356.tif 000012
【図１１】
2012106356.tif 000013
【図１２】
2012106356.tif 000014
【図１３】
2012106356.tif 000015